(57)【要約】【課題】刈払い機先端への草木等の巻付きを防止すると共に飛散する土や泥、刈り屑等の堆積（付着）を防止して、作業者への負担の軽減を図り刈払い作業の能率を十分に高めることが可能な刈払い機を提供する。【解決手段】刈払い機の軸受け部の軸受けカバーの外周面下端に、軸受け部の外径より大きな外径の孔を有して平面視略円環状に形成された取付部と、該取付部の外周縁に立設状態で一体成形された複数の立壁部と、該隣接する立壁部間に形成され該立壁部より大きな面積を有する複数の開口部と、を一体的に固着したことを特徴とする。前記開口部は、隣接する立壁部の垂直部と連結部間に形成されたり、隣接する立壁部間に台金の表面外方に向けて開口した凹部で形成される。【選択図】図２
2015226530.tif 000002
【特許請求の範囲】
【請求項１】
エンジン等の回転駆動部と、該回転駆動部の回転軸に連結杆で連結され該連結杆の先端に回転刃が取り付けられる軸受け部と、を備えた刈払い機であって、
前記軸受け部の軸受けカバーの外周面下端に、巻付き防止部材を固着手段により一体的に固着し、該巻付き防止部材は、前記軸受け部の外径より大きな外径の孔を有して平面視略円環状に形成された取付部と、該取付部の外周縁に立設状態で一体成形された複数の立壁部と、隣接する立壁部間に形成され該立壁部より大きな面積を有する複数の開口部と、を有することを特徴とする刈払い機。
【請求項２】
前記立壁部は、前記取付部にその円周方向に沿って一定間隔で形成された複数の垂直部と、該垂直部の上下端を連結する連結部を有し、隣接する垂直部及び連結部間に、前記開口部が形成されていることを特徴とする請求項１に記載の刈払い機。
【請求項３】
前記立壁部は、前記取付部の外周縁にその円周方向に沿って所定間隔で形成され、隣接する立壁部間に台金の表面外方に向けて開口した凹部からなる前記開口部が形成されていることを特徴とする請求項１に記載の刈払い機。
【請求項４】
前記開口部の面積は、前記回転刃の回転方向上流側と回転方向下流側とで異なることを特徴とする請求項１ないし３のいずれかに記載の刈払い機。
【請求項５】
前記巻付け防止部材は、前記開口部を利用して前記軸受けカバーに取り付け可能であることを特徴とする請求項１ないし４のいずれかに記載の刈払い機。
【発明の詳細な説明】
【技術分野】
【０００１】  本発明は、草や蔓、小木等（草木等という）を刈払いする際に使用され、刈払いした草木等の巻付きを防止する巻付き防止部材付きの刈払い機に関する。
【背景技術】
【０００２】  従来、草木等を刈払いする際に使用される刈払い機は、例えば特許文献１に開示されている。この刈払い機は、回転駆動部としてのエンジンと、このエンジンの駆動によって回転する回転軸先端の軸受け部の受けフランジに取り付けられたチップソー等の回転刃を有している。そして、実際の刈払い作業においては、回転刃の刃先（チップ）により草木等の根元を狙って刈払いするようにしている。【０００３】  ところが、このような刈払い機にあっては、刈払い作業時に刈り取った草木等が刈払い機先端の受けフランジ部分に巻き付いて、刈払い機の回転数を低下させたり刈払い機の回転を停止させる場合がある。そこで、このような草木等（特に蔓等）の巻き付きを防止するために、作業者は予め刈払い機の回転数を必要以上に高めた状態で作業を行うか、回転数を高めても取り除けない場合は、刈払い作業を一旦中断もしくは停止して巻き付いた草木等を手によって取り除いており、刈払い作業時の作業者への負担が大きくなり易く、刈払い作業を能率的に行うことが難しいという不都合を有していた。【０００４】  そこで、本出願人は、このような不都合を解決するために、特許文献２に開示の刈払い機を提案した。この刈払い機は、軸受け部の外周面下端に、平面視略円形の側壁と、中心部分に軸受け部の外周面下端の外径より大きな内径の孔を有する底壁とでカップ形状に形成した巻付き防止カップを固着手段により一体的に固着し、この巻付き防止カップの側壁で、草木等の刈払い機先端の軸受け部分への巻付き（付着）自体を防止するようにしている。
【先行技術文献】
【特許文献】
【０００５】
【特許文献１】実開平０６−７２３１９号公報
【特許文献２】特開２０１２−１６４１号公報
【発明の概要】
【発明が解決しようとする課題】
【０００６】  しかしながら、この巻付き防止カップ付きの刈払い機にあっては、巻付き防止カップの平板状の側壁により草木等の軸受け部分への付着を防いで、該軸受け部分への草木等の巻付きを防止することができるものの、刈払いする際、回転刃の回転で発生する飛散した土や泥、あるいは刈り取ることで飛散した草木等の刈り屑が、巻付き防止カップの開口している上部からその内部に進入して堆積（付着）し易く、回転刃が取り付けられる刈払い機先端の重量が重くなったり、堆積した土や泥等の除去が面倒になる等、刈払い作業の能率を十分に高めることが難しい。【０００７】  本発明は、このような事情に鑑みてなされたもので、その目的は、刈払い機先端への草木等の巻付きを防止すると共に飛散する土や泥、刈り屑等の堆積（付着）を防止して、作業者への負担の軽減を図り刈払い作業の能率を十分に高めることが可能な刈払い機を提供することにある。
【課題を解決するための手段】
【０００８】  かかる目的を達成すべく、本発明の請求項１に記載の発明は、エンジン等の回転駆動部と、該回転駆動部の回転軸に連結杆で連結され該連結杆の先端に回転刃が取り付けられる軸受け部と、を備えた刈払い機であって、前記軸受け部の軸受けカバーの外周面下端に、巻付き防止部材を固着手段により一体的に固着し、該巻付き防止部材は、前記軸受け部の外径より大きな外径の孔を有して平面視略円環状に形成された取付部と、該取付部の外周縁に立設状態で一体成形された複数の立壁部と、隣接する立壁部間に形成され該立壁部より大きな面積を有する複数の開口部と、を有することを特徴とする。【０００９】  また、請求項２に記載の発明は、前記立壁部が、前記取付部にその円周方向に沿って一定間隔で形成された複数の垂直部と、該垂直部の上下端を連結する連結部を有し、隣接する垂直部及び連結部間に、前記開口部が形成されていることを特徴とする。また、請求項３に記載の発明は、前記立壁部が、前記取付部の外周縁にその円周方向に沿って所定間隔で形成され、隣接する立壁部間に台金の表面外方に向けて開口した凹部からなる前記開口部が形成されていることを特徴とする。【００１０】  さらに、請求項４に記載の発明は、前記開口部の開口面積が、前記回転刃の回転方向上流側と回転方向下流側とで異なることを特徴とする。また、請求項５に記載の発明は、前記巻付け防止部材が、前記開口部を利用して前記軸受けカバーに取り付け可能であることを特徴とする。
【発明の効果】
【００１１】  本発明のうち請求項１に記載の発明によれば、軸受け部の軸受けカバーの外周面下端に、平面視略円環状に形成された取付部、取付部の外周縁に立設状態で一体成形された複数の立壁部、及び隣接する立壁部間に形成され立壁部より大きな面積を有する複数の開口部を有する巻付き防止部材が一体的に固着されているため、巻付き防止部材で刈払い機先端への草木等の巻付きを防止すると共に、飛散する土や泥、刈り屑等の巻付き防止部材内への堆積（付着）を防止して、作業者への負担の軽減を図り刈払い作業の能率を十分に高めることができる。【００１２】  また、請求項２に記載の発明によれば、請求項１に記載の発明の効果に加え、立壁部が複数の垂直部と上下端の連結部を有し、隣接する垂直部及び連結部間に開口部が形成されているため、開口部を立壁部自体に形成できて、立壁部自体の剛性を高めつつ、草木等の巻付き防止と土や泥等の排出を確実に行うことができる。【００１３】  また、請求項３に記載の発明によれば、請求項１に記載の発明の効果に加え、立壁部が取付部の外周縁に所定間隔で形成され、隣接する立壁部間に台金の表面外方に向けて開口した凹部からなる開口部が形成されているため、巻付き防止部材の構成を簡略化して安価に形成することができると共に、巻付き防止効果と排出効果を最適な状態に容易に設定することができる。【００１４】  さらに、請求項４に記載の発明によれば、請求項１ないし３に記載の発明の効果に加え、開口部の開口面積が、台金の回転方向上流側と回転方向下流側とで異なるため、巻付き防止部材の内部に進入した土や泥等を、刈払い作業中に巻付き防止部材の外部に効果的に排出できて、その堆積等を確実に防止することができる。【００１５】  また、請求項５に記載の発明によれば、請求項１ないし４に記載の発明の効果に加え、巻付け防止部材が開口部を利用して軸受けカバーに取り付け可能であるため、巻付き防止部材を必要に応じて刈払い機に取り付けできると共に、巻付き防止部材を着脱可能とすることでその交換を容易に行うことができる等、刈払い機の使い勝手を向上させることができる。
【図面の簡単な説明】
【００１６】
【図１】  本発明に係わる刈払い機の一実施形態を示す斜視図
【図２】  同その軸受部の縦断面図
【図３】  同巻付き防止部材の縦断面図
【図４】  同その拡大側面図
【図５】  同図２のＡ部の拡大図
【図６】  同巻付き防止部材の変形例を示す図４と同様の拡大側面図
【発明を実施するための形態】
【００１７】  以下、本発明を実施するための形態を図面に基づいて詳細に説明する。
図１〜図５は、本発明に係わる刈払い機の一実施形態を示している。図１に示すように、刈払い機１は、燃料タンク３内のガソリン等により駆動する回転駆動部としてのエンジン２と、このエンジン２の回転軸に連結され長手方向の所定位置にハンドル５が設けられた連結杆４と、この連結杆４の先端に設けられチップソー等の回転刃１３が取り付けられると共に外周面下端に巻付き防止部材１１が一体的に固着された軸受けカバー６等を備えている。
【００１８】  そして、前記エンジン２が駆動することにより、その回転軸が所定回転数で回転し、この回転軸の回転が、連結杆４内に配設された連結軸（図示せず）を介して軸受けカバー６内の軸受け部７（図２参照）の駆動軸（図示せず）に伝達され、この駆動軸に連結されて軸受カバー６内の受けフランジ８の取付面に、押さえフランジ９や取付ボルト１０、取付カバー１２等で取り付けられた回転刃１３が回転するようになっている。
【００１９】  前記巻付き防止部材１１は、図２〜図４に示すように、例えば板厚１．２ｍｍ程度の鋼板の折り曲げ加工で上面に上部開口１１ａを有する略カップ形状に形成されている。そして、この巻付き防止部材１１は、所定の高さ寸法ｈ１を有する平面視円形の垂直な立壁部１４と、この立壁部１４の下端内側に連接された平面視円環状の底壁部１５と、この底壁部１５の内周端に上方に立設された平面視円形の取付壁部１６と、前記立壁部１４に形成された複数（例えば６個）の開口部１７を有している。なお、前記取付壁部１６の内側には円形の開口１６ａが形成され、この開口１６ａは、その内径が刈払い機１の前記軸受カバー６の外周面６ａ下端の外径と略等しく設定されている。
【００２０】  前記立壁部１４には、図３及び図４に示すように、底壁部１５の外周縁に円周方向に一定間隔で立設した６個の垂直部１４ａと、この隣接する垂直部１４ａの上下をそれぞれ連結する連結部１４ｂを有し、垂直部１４ａと上下の連結部１４ｂとの間に、上下の幅ｗ１を有して側面視で略楕円形状の前記開口部１７が円周方向に一定間隔で６個形成されている。
【００２１】  このとき、前記開口部１７の面積（開口面積）は、立壁部１４の面積に対して大きな値に設定されており、その値は、回転刃１３の回転で立壁部１４が所定回転数で回転した際に、刈払いされた草木等が開口部１７から巻付き防止部材１１内に進入せず、かつ巻付き防止部材１１の上部開口１１ａから土や泥、あるいは刈り屑（以下、これらを土や泥等という）が巻付き防止部材１１内に進入した際に、後述する如く巻付き防止部材１１外に排出可能となっている。また、開口部１７の上下方向の幅ｗ１は、回転刃１３の回転方向イに沿って一定に形成されて、その上流側と下流側は半円弧形状に形成されている。
【００２２】  また、前記巻付き防止部材１１の立壁部１４の上端には、図３に示すように、該立壁部１４を内側に折り曲げることで外周面がアール形状に形成された返し部１４ｃが一体形成されている。なお、巻付き防止部材１１の大きさは、その外径（直径）が例えば１３４ｍｍ程度で、図２に示すように、軸受けカバー６の外周面６ａ下端からの距離寸法Ｌが２０〜５０ｍｍ、前記高さ寸法ｈ１が例えば２７ｍｍ程度に設定されるが、これらの寸法は後述する回転刃１３の台金１８の外径や刈払い機１の軸受け部７の形態に応じてできるだけ大きい方が好ましい。
【００２３】  さらに、前記取付壁部１６は、図３及び図５に示すように、固定孔１６ｂが形成可能な高さ寸法に設定され、この固定孔１６ｂは前記開口部１７の下部に対向して位置するようになっている。そして、この取付壁部１６を利用して、図５に示すように、巻付き防止部材１１が刈払い機１に一体的に固着される。
【００２４】  すなわち、取付壁部１６の固定孔１６ｂを利用して軸受けカバー６の外周面６ａ下端に形成されたネジ孔１９に、巻付き防止部材１１を固着手段としてのボルト２０で一体的に固着する。このとき、ボルト２０は、取付壁部１６ｃの円周方向に一定間隔で例えば４〜８個設けられており、巻付き防止部材１１が軸受けカバー６に強固に固着されると共に、固着状態において取付壁部１６の下端と底壁部１５の下面は、受けフランジ８の取付面より回転刃１３側（図２の下方）に突出しないようになっている。
【００２５】  また、前記ボルト２０の締め付けは、巻付き防止部材１１の前記開口部１７の下部を使用して開口部１７内にドライバーやスパナ等の工具２３を差し込み、ボルト２０を締付方向に回転させることで行うようになっている。この巻付き防止部材１１により、後述する如く回転刃１３で刈払いされた草木等の刈払い機１先端（軸受けカバー６部分）への巻付きが防止される。なお、巻付き防止部材１１の軸受カバー６への固着は、ボルト２０による固着に限らず、例えば取付壁部１６の上下端部等の全周もしくは複数箇所を、溶接により軸受けカバー６の外周面６ａに一体的に固着してもよく、適宜の固着手段を採用することができる。
【００２６】  このような刈払い機１に取り付けられる前記回転刃１３は、図２に示すように、円板状で多数の軽量孔（図示せず）が形成された台金１８を有し、この台金１８の中心位置には刈払い機１への取付孔２１が形成されている。また、台金１８の取付孔２１の外側は平坦面で形成され、その外周縁部には、チップ固着部と刃室（図示せず）が一定間隔で多数形成され、各チップ固着部には、刃先としての超硬合金からなるチップ２２がそれぞれロー付け固着されている。
【００２７】  そして、巻付き防止部材１１が固着された刈払い機１の連結杆４先端の軸受けカバー６に、回転刃１３が前述したように押えフランジ９及び取付ボルト１０等を介して取り付けられる。この回転刃１３の取付状態において、巻付き防止部材１１の取付壁部１６は、その開口１６ａ内に軸受けカバー６下端が位置している。また、巻付き防止部材１１の立壁部１４の高さ寸法ｈ１を所定に設定することにより、立壁部１４の上端と連結杆４の外周面間に、所定の隙間寸法ｈ２（例えば２〜１５ｍｍ）が確保されるようになっている。
【００２８】  そして、回転刃１３の取付状態で刈払い機１を駆動させると、回転刃１３が所定回転数で回転し、チップ２２により草木等が切断（刈払い）される。また同時に、切断された草木等は、巻付き防止部材１１の立壁部１４の外周面に接触して跳ね飛ばされる状態となり、切断した草木等が刈払い機１の先端である軸受けカバー６部分等に巻き付くことが防止される。
【００２９】  また、巻付き防止部材１１内にその上部開口１１ａから進入して例えば所定量貯まった土や泥等が開口部１７から巻付き防止部材１１外に排出される。この土や泥等の排出は、刈払い作業時の刈払い機１のヘッド部分（軸受けカバー６部分）の左右方向への振り動作（ヘッド部分の左右方向に交互移動動作）と、回転刃１３の回転時のヘッド部分に伝達される振動等により、刈払い作業中に開口部１７から巻付き防止部材１１外に自動的に排出される。
【００３０】  つまり、刈払い機１の軸受けカバー６の外周面６ａ下端に、回転刃１３側に突出しない状態で、巻付き防止部材１１をボルト２０で一体的に固着することにより、巻付き防止部材１１の立壁部１４で刈払い機１の軸受けカバー６の外周面６ａ下端の外側の全域を所定距離Ｌ隔てて覆うことができ、チップ２２で切断された草木等の軸受けカバー６への接触自体を抑制して、草木等の刈払い機１への巻き付けを防止することができる。また同時に、立壁部１４に設けた面積の大きな開口部１７を利用して、巻付き防止部材１１内に進入した土や泥等を、回転刃１３の左右移動等で巻付き防止部材１１外に自動的に排出できることになる。
【００３１】  このように、前記刈払い機１によれば、軸受けカバー６の外周面６ａ下端に、平面視略円環状に形成された底壁部１５、この底壁部１５の外周縁に立設状態で一体成形された複数の立壁部１４、及び隣接する立壁部１４間に形成され立壁部１４より大きな面積を有する複数の開口部１７等を有する巻付き防止部材１１が一体的に固着されているため、巻付き防止部材１１で刈払い機１先端への草木等の巻付きを防止すると共に、飛散する土や泥等の巻付き防止部材１１内への堆積（付着）を防止して、作業者への負担の軽減を図り刈払い作業の能率を十分に高めることができる。
【００３２】  また、立壁部１４が複数の垂直部１４ａと上下端の連結部１４ｂを有し、隣接する垂直部１４ａ及び連結部１４ｂ間に開口部１７が形成されているため、開口部１７を立壁部１４自体に形成できて、立壁部１４自体の剛性を高めつつ、草木等の巻付き防止と土や泥等の排出を確実に行うことができる。さらに、開口部１７の開口面積が、立壁部１４の面積より大きく設定されているため、立壁部１４で確実な巻付き防止効果を得ることができると共に、開口部１７で巻付き防止部材１１内に進入した土や泥等を、巻付き防止部材１１外に簡単に排出できて、その堆積を確実に防止することができる。
【００３３】  また、巻付け防止部材１１が立壁部１４の開口部１７を介して軸受けカバー６にボルト２０で着脱可能に取り付け可能であるため、巻付き防止部材１１を必要に応じて刈払い機１に取り付けできると共に、巻付き防止部材１１の交換等も容易に行うことができて、刈払い機１の使い勝手を向上させることができる。
【００３４】  またさらに、巻付き防止部材１１の立壁部１４自体に広い面積の開口部１７が形成されているため、巻付き防止部材１１自体を軽量化できて、刈払い機１の特に先端部の重量増加を極力抑えて、刈払い作業の作業性を一層向上させることができる。また、巻付き防止部材１１の立壁部１４の上端縁に円滑面からなる返し部１４ｃが形成されているため、該返し部１４ｃにより立壁部１４の剛性を高めて、例えば刈払い機５を移動する際の巻付き防止部材１１の変形等を防止できると共に、作業者が巻付き防止部材１１に触れた場合等の安全性を高めることもできる。
【００３５】  図６は、前記巻付き防止部材１１の変形例を示している。以下、前記実施形態と同一部位には、同一符号を付して説明する。図６（ａ）の巻付き防止部材１１は、開口部１７の開口面積を、回転刃の回転方向イの上流側が大きく下流側が小さく（もしくはその逆と）なるように設定したものである。この開口部１７の面積設定により、巻付き防止部材１１内の土や泥等を開口面積の大きい側から巻付き防止部材１０の外部に効果的に排出できて、土や泥等の巻付き防止部材１１内への堆積を確実に防止できると共に、最適な開口部１７の設定で立壁部１４自体の剛性を所定に維持することが可能になる。
【００３６】  また、図６（ｂ）の巻付き防止部材１１は、開口部１７を側面視略楕円形状でなく、立壁部１４の高さ寸法ｈ１より若干小さい円形の孔１７ａで形成し、この孔１７ａを円周方向に近接して設けるようにしたものである。この例の場合、図の二点鎖線で示すように、回転方向イの下流側の孔１７ａの径を上流側より小さくする等して、図６（ａ）と同様の作用効果を得るようにしても良い。
【００３７】  さらに、図６（ｃ）の巻付き防止部材１１は、開口部１７を凹部１７ｂで形成したものである。すなわち、底壁部１５の外周縁に円周方向に所定間隔で側面視長方形状の例えば円弧板状の立壁部１４を形成し、この隣接する立壁部１４間に上方が開放（開口）した開口部１７としての凹部１７ｂを形成する。この巻付き防止部材１１においても、回転する立壁部１４で草木等の巻付きが防止されると共に、凹部１７ｂにより巻付き防止部材１１内の土や泥等が外部に排出されることなる。
【００３８】  この例の場合も、二点鎖線で示すように、回転方向イの上流側の立壁部１４の高さ寸法ｈ１を下流側より低く形成することで、凹部１７ｂ（開口部１７）の面積を上流側と下流側とで異なるように形成してもよいし、立壁部１４を所定幅の円弧板状ではなく、一つの立壁部１４を１本もしくは複数本からなる棒状部材（例えば丸棒部材）で形成するようにしても良い。
【００３９】  この凹部１７ｂを使用する例においても、前記実施形態や各例と同様の作用効果が得られる他に、開口部１７が凹部１７ｂで形成されるため、巻付き防止部材１１のより一層の軽量化が図れると共に、巻付き防止部材１１の構成を簡略化して安価に製造でき、かつ巻付き防止効果と排出効果とを最適な状態に容易に設定すること等が可能になる。このように、巻付き防止部材１１の立壁部１４と開口部１７等の形態は、刈払い機１の形態に応じて巻付き防止機能と排出機能が同時に得られる、適宜構成を採用することができる。
【００４０】  なお、前記実施形態においては、巻付き防止部材１１を軸受け部７を覆う軸受けカバー６の下端に固着したが、刈払い機１の形態によっては、巻付き防止部材１１を軸受け部７を覆う最も外側に位置する適宜形状のフランジやカバー等の下端に固着すればよい。また、前記実施形態における、開口部１７の数、台金１８や巻付き防止部材１１の外径等の形状は一例であって、例えば開口部１７を６個ではなく、２〜８個等の適宜の個数とする等、本発明の各発明に係わる要旨を逸脱しない範囲において適宜の構成を採用することができる。
【産業上の利用可能性】
【００４１】  本発明は、エンジン駆動式の刈払い機に限らず、電動式の刈払い機等、草木等を刈払い可能な全ての刈払い機に利用できる。
【符号の説明】
【００４２】  １・・・刈払い機、２・・・エンジン、３・・・燃料タンク、４・・・連結杆、６・・・軸受けカバー、６ａ・・・外周面、７・・・軸受け部、８・・・受けフランジ、９・・・押さえフランジ、１０・・・取付ボルト、１１・・・巻付き防止部材、１１ａ・・・上部開口、１３・・・回転刃、１４・・・立壁部、１４ａ・・・垂直部、１４ｂ・・・連結部、１５・・・底壁部、１６・・・取付壁部、１６ａ・・・開口、１６ｂ・・・固定孔、１７・・・開口部、１７ａ・・・孔、１７ｂ・・・凹部、１８・・・台金、２１・・・取付孔、２２・・・チップ。
【図１】
2015226530.tif 000003
【図２】
2015226530.tif 000004
【図３】
2015226530.tif 000005
【図４】
2015226530.tif 000006
【図５】
2015226530.tif 000007
【図６】
2015226530.tif 000008